(57)【要約】  【課題】ケーブルの分岐部位を覆うカバー部材として、取付、取外し自在で再使用することができ、装飾性に優れており、さらにケーブルに対する磁界によるノイズ混入という問題も生じないようにする。  【解決手段】複数本の内部ケーブル１１の端部１１ａが分岐されるシース１２の開口端面１２ａ付近が、カバー部材２０によって覆われる。カバー部材２０は、合成樹脂により筒状とされた分岐スリーブ３０と、金属製の複数の装飾板５０とを有する。分岐スリーブ３０は、内部ケーブル１１の端部１１ａが挿通された状態で、シース１２の開口側端部の外周に嵌合される。複数の装飾板５０は、分岐スリーブ３０に対して、周方向に互いに分断された状態で着脱自在に取付けられる（装飾板５０の係合部５３が、分岐スリーブ３０の係止部（例えば係止爪部４５，４６）に対して係止）。【選択図】  図１
2019161710.tif 000002
【特許請求の範囲】
【請求項１】
複数本の内部ケーブルの端部が、該複数本の内部ケーブルを被覆しているシースの開口端面から外部へ露出されてなるケーブル分岐部用のカバー部材であって、
合成樹脂により筒状に形成され、前記複数本の内部ケーブルの端部が挿通されると共に前記シースの開口側端部の外周に嵌合される分岐スリーブと、
金属により形成され、前記分岐スリーブの周方向に互いに非連続となるように分断された状態で該分岐スリーブの外周に着脱自在に取付けられる複数の装飾板と、
を備え、
前記分岐スリーブに係止部が形成される一方、前記装飾板には該係止部に係止される係合部が形成されて、該係合部を該係止部に係止させることにより該装飾板が該分岐スリーブに固定され、該係合部の該係止部に対する係止を解除することにより該装飾板の該分岐スリーブに対する固定が解除される、
ことを特徴とするケーブル分岐部用のカバー部材。
【請求項２】
請求項１において、
前記係止部が係止爪部とされている、ことを特徴とするケーブル分岐部用のカバー部材。
【請求項３】
請求項２において、
前記分岐スリーブのうち、前記複数の装飾板が分断される分断位置において、内方側に向けて弾性変形可能な弾性変形部位が形成され、
前記係止爪部が前記弾性変形部位に形成され、
前記係合部が前記係止爪部に係止されている状態で、前記弾性変形部を前記分岐スリーブの内方側に向けて押圧することにより、該係合部の該係止爪部に対する係止が解除される、
ことを特徴とするケーブル分岐部用のカバー部材。
【請求項４】
請求項３において、
前記分岐スリーブのうち、前記分断位置において開口部が形成され、
前記分岐スリーブに、前記シースの長手方向において前記開口部を跨ぐブリッジ部が形成され、
前記ブリッジ部に、前記係止爪部が形成されている、
ことを特徴とするケーブル分岐部用のカバー部材
【請求項５】
請求項３または請求項４において、
前記装飾板が、第１装飾板と第２装飾板との２枚とされ、
前記各装飾板のうち前記分岐スリーブの周方向各端部に、前記係合部が形成され、
前記分断位置に形成される前記弾性変形部が、前記分岐スリーブの周方向１８０度対称位置に一対形成され、
前記各弾性変形部には、前記係止爪部として、前記第１装飾板用となる第１係止爪部と前記第２装飾板用となる第２係止爪部とが互いに逆方向に向けて形成されている、
ことを特徴とするケーブル分岐部用のカバー部材。
【請求項６】
請求項３ないし請求項５のいずれか１項において、
前記弾性変形部に、前記分岐スリーブに取付けられている前記装飾板の外面よりも外方側に突出する押圧部が形成されている、ことを特徴とするケーブル分岐部用のカバー部材。
【請求項７】
請求項１ないし請求項６のいずれか１項において、
前記分岐スリーブの一端側には、内方側に向けて突出されたストッパ部が形成され、
前記分岐スリーブをその他端側から前記シースの外周に嵌合させた際に、前記ストッパ部が該シースの開口端面に当接されることによりそれ以上深く嵌合されることが規制される、
ことを特徴とするケーブル分岐部用のカバー部材。
【請求項８】
請求項１ないし請求項７のいずれか１項において、
前記分岐スリーブには、前記装飾板により覆われる部位において挿通用の開口部が形成され、
前記装飾板の内面には、該装飾板を前記分岐スリーブに取付けた際に、前記開口部を通過して前記シースの外周に食い込むスパイク部が突出形成されている、
ことを特徴とするケーブル分岐部用のカバー部材。
【請求項９】
請求項１ないし請求項８のいずれか１項において、
前記分岐スリーブに、前記装飾板を取付けた際に、該装飾板が該分岐スリーブの軸方向に相対変位するのを規制するストッパ壁部が形成されている、ことを特徴とするケーブル分岐部用のカバー部材。
【請求項１０】
請求項１において、
前記分岐スリーブに、内方側に向けて突出されたストッパ部が形成されて、該分岐スリーブをその他端側から前記シースの外周に嵌合させた際に、該ストッパ部が該シースの開口端面に当接されることによりそれ以上深く嵌合されることが規制され、
前記分岐スリーブの各端部外周には、前記装飾板を取付けた際に、該装飾板が該分岐スリーブの軸方向に相対変位するのを規制するストッパ壁部が形成され、
前記分岐スリーブのうち、前記複数の装飾板が分断される分断位置において、内方側に向けて弾性変形可能な弾性変形部位が形成され、
前記弾性変形部位に、前記係止部としての係止爪部が形成され、
前記装飾板に、前記係止爪部に係合される係合部が形成され、
前記係合部が前記係止爪部に係止されている状態で、前記弾性変形部を前記分岐スリーブの内方側に向けて押圧することにより、該係合部の該係止爪部に対する係止が解除されるようにされ、
前記分岐スリーブには、前記装飾板により覆われる部位において挿通用の開口部が形成され、
前記装飾板の内面には、該装飾板を前記分岐スリーブに取付けた際に、前記開口部を通過して前記シースの外周に食い込むスパイク部が突出形成されている、
ことを特徴とするケーブル分岐部用のカバー部材。
【請求項１１】
請求項１０において、
前記シースの外周形状が、長辺となる上下一対の偏平部位と短辺となる左右一対の側面部位とを有する偏平形状とされ、
前記装飾板が、互いに同一形状の第１装飾板と第２装飾板との２枚設けられ、
前記第１装飾板が、前記分岐スリーブの周方向において、前記上下一対の偏平部位の一方をほぼ全体的に覆うと共に前記一対の各側面部位の一部をも覆うようにされ、
前記第２装飾板が、前記分岐スリーブの周方向において、前記上下一対の偏平部位の他方をほぼ全体的に覆うと共に前記一対の各側面部位の一部をも覆うようにされ、
前記２枚の装飾板が前記分岐スリーブのうち前記左右一対の側面部位の位置でもって分断されて、該左右一対の側面部位に前記弾性変形部位が形成され、
前記一対の側面部位には、前記分岐スリーブに取付けられている前記装飾板の外面よりも外方側に突出する押圧部が形成されている、
ことを特徴とするケーブル分岐部用のカバー部材。
【請求項１２】
請求項１ないし請求項１１のいずれか１項において、
前記装飾板が、アルミニウム合金製とされている、ことを特徴とするケーブル分岐部用のカバー部材。
【請求項１３】
請求項１ないし請求項１２のいずれか１項において、
ケーブルが、オーディオ装置を構成する機器類同士を接続するための外部配線用とされている、ことを特徴とするケーブル分岐部用のカバー部材。
【発明の詳細な説明】
【技術分野】
【０００１】
本発明は、ケーブル分岐部用のカバー部材に関するものである。
【背景技術】
【０００２】
ケーブルの中には、複数本の内部ケーブルを、シースと呼ばれる外皮で被覆したものが多い。この場合、複数本の内部ケーブルの端部は、シースの開口端面から外部へ露出した分岐状態でもって使用されることになる。シースの開口端面つまり複数本の内部ケーブルの分岐部位がそのまま外部へ露出した状態では、体裁（外観上の見栄え）が悪いものとなる、例えば、オーディオ装置の各種機器類同士を接続する（例えばアンプとスピーカとを接続する）ための外部配線として使用する場合は、装飾性が重視されることから、ケーブルの分岐部位が外部へ露出した状態としておくのは好ましくないものとなる。
【０００３】
特許文献１には、複数本のケーブルの分岐部位を合成樹脂のカバー部材によって一体的に被覆するものが開示されている。また、特許文献２には、ケーブルの分岐部位を覆うものとして、シースの開口端部外周に嵌合される嵌合部位と、この嵌合部位から複数に分岐されたケーブルの端部が個々に挿通される複数の分岐筒部とを一体的に有するカバー部材が開示されている。
【先行技術文献】
【特許文献】
【０００４】
【特許文献１】特開２０１５−１３３２００号公報
【特許文献２】特開２００２−３６９３６４号公報
【発明の概要】
【発明が解決しようとする課題】
【０００５】
ところで、ケーブルが接続される機器類の位置変更等により、シースから露出している内部ケーブル端部の分岐長さを長くするという要求が応々にして生じる。すなわち、シースの開口端部を所望長さだけ切除して、露出するケーブル端部の分岐長さを長くするという要求が応々にして生じる。この場合、特許文献１に記載のものでは、カバー部材の取外しは事実上破壊的に行なう必要があることから、ケーブル端部の分岐長さを長くした後に、再度カバー部材を使用するということが事実上不可能である。
【０００６】
一方、最近では、装飾性向上の観点から、ケーブルの分岐部位を覆うカバー部材として、金属光沢を有するものが要求されるようになっている。この場合、金属がシースの全周を取り巻く筒状とされていると、磁界発生により、ケーブルにノイズが混入してしまうおそれがあり、このノイズの問題を解消する必要がある。
【０００７】
本発明は以上のような事情を勘案してなされたもので、その目的は、ケーブルの分岐部位を覆うカバー部材として、取付、取外し自在で再使用することができ、装飾性に優れており、さらにケーブルに対する磁界によるノイズ混入という問題も生じないようにしたケーブル分岐部用のカバー部材を提供することにある。
【課題を解決するための手段】
【０００８】
複数本の内部ケーブルの端部が、該複数本の内部ケーブルを被覆しているシースの開口端面から外部へ露出されてなるケーブル分岐部用のカバー部材であって、
合成樹脂により筒状に形成され、前記複数本の内部ケーブルの端部が挿通されると共に前記シースの開口側端部の外周に嵌合される分岐スリーブと、
金属により形成され、前記分岐スリーブの周方向に互いに非連続となるように分断された状態で該分岐スリーブの外周に着脱自在に取付けられる複数の装飾板と、
を備え、
前記分岐スリーブに係止部が形成される一方、前記装飾板には該係止部に係止される係合部が形成されて、該係合部を該係止部に係止させることにより該装飾板が該分岐スリーブに固定され、該係合部の該係止部に対する係止を解除することにより該装飾板の該分岐スリーブに対する固定が解除される、
ようにしてある。
【０００９】
上記解決手法によれば、カバー部材の取付け完了状態では、複数の装飾板が外面に大きく露出されることから、装飾性に優れて、外観上の見栄え（体裁）が極めて優れたものとなる。また、複数の装飾板は、分岐スリーブの周方向に分断された形態とされているので、磁界の発生が確実に防止されて、内部ケーブルにノイズが混入してしまうことを確実に防止できる。さらに、係合部と係止部とを利用して，装飾板を分岐スリーブに対して着脱自在としてあるので、内部ケーブルの分岐長さを長くする作業を行った後にも、再度使用することが可能となる。すなわち、取付完了状態から、装飾板を取外した後、シースから分岐スリーブを引き抜いた状態でシースを所望長さ切除した後に、再び分岐スリーブをシース外周に嵌合させて、最後に装飾板を分岐スリーブに係止する、という作業を行うことにより、繰り返し再使用することが可能となる。
【００１０】
上記解決手法を前提とした好ましい態様は、請求項２以下に記載のとおりである。すなわち、
前記係止部が係止爪部とされている、ようにしてある（請求項２対応）。この場合、係止爪部を利用して、装飾板を分岐スリーブに対して着脱自在とすることができる。
【００１１】
前記分岐スリーブのうち、前記複数の装飾板が分断される分断位置において、内方側に向けて弾性変形可能な弾性変形部位が形成され、
前記係止爪部が前記弾性変形部位に形成され、
前記係合部が前記係止爪部に係止されている状態で、前記弾性変形部を前記分岐スリーブの内方側に向けて押圧することにより、該係合部の該係止爪部に対する係止が解除される、
ようにしてある（請求項３対応）。この場合、係止爪部に対する係合部の係止解除の作業、つまり装飾板の分岐スリーブからの取外しを極めて容易に行うことができる。
【００１２】
前記分岐スリーブのうち、前記分断位置において開口部が形成され、
前記分岐スリーブに、前記シースの長手方向において前記開口部を跨ぐブリッジ部が形成され、
前記ブリッジ部に、前記係止爪部が形成されている、
ようにしてある（請求項４対応）。この場合、弾性変形部が大きく弾性変形することが可能となるので、しっかりとした係止作用を得つつ、係止解除作業も容易となる。
【００１３】
前記装飾板が、第１装飾板と第２装飾板との２枚とされ、
前記各装飾板のうち前記分岐スリーブの周方向各端部に、前記係合部が形成され、
前記分断位置に形成される前記弾性変形部が、前記分岐スリーブの周方向１８０度対称位置に一対形成され、
前記各弾性変形部には、前記係止爪部として、前記第１装飾板用となる第１係止爪部と前記第２装飾板用となる第２係止爪部とが互いに逆方向に向けて形成されている、
ようにしてある（請求項５対応）。この場合、装飾板の数を極力少なくして部品点数削減の上で好ましいものとなる。また、係止爪部付近の構造を極力簡単化する上で好ましいものとなる。さらに、分岐スリーブ（左右一対の弾性変形部）を左右方向から強く挟むという簡単な作業によって、係止爪部に対する係合部の係止解除を行うことができる。
【００１４】
前記弾性変形部に、前記分岐スリーブに取付けられている前記装飾板の外面よりも外方側に突出する押圧部が形成されている、ようにしてある（請求項６対応）。この場合、左右一対の押圧部を指先で強く挟むという極めて簡単な作業によって、係止爪部に対する係合部の係止解除を行うことができる。
【００１５】
前記分岐スリーブの一端側には、内方側に向けて突出されたストッパ部が形成され、
前記分岐スリーブをその他端側から前記シースの外周に嵌合させた際に、前記ストッパ部が該シースの開口端面に当接されることによりそれ以上深く嵌合されることが規制される、
ようにしてある（請求項７対応）。この場合、ストッパ部をシースの開口端面に当接させるだけで、分岐スリーブのシースに対する嵌合位置（嵌合の深さ）を所望のものとすることができる。
【００１６】
前記分岐スリーブには、前記装飾板により覆われる部位において挿通用の開口部が形成され、
前記装飾板の内面には、該装飾板を前記分岐スリーブに取付けた際に、前記開口部を通過して前記シースの外周に食い込むスパイク部が突出形成されている、
ようにしてある（請求項８対応）。この場合、装飾板とシースとの相対変位を確実に防止することができ、取付完了状態を確実に維持する上で極めて好ましいものとなる。
【００１７】
前記分岐スリーブに、前記装飾板を取付けた際に、該装飾板が該分岐スリーブの軸方向に相対変位するのを規制するストッパ壁部が形成されている、ようにしてある（請求項９対応）。この場合、分岐スリーブに対する装飾板の位置決めを簡単に行うことができる。また、装飾板が分岐スリーブに対してシースの長手方向に不用意に相対変位してしまう事態を確実に防止することができる。
【００１８】
前記分岐スリーブに、内方側に向けて突出されたストッパ部が形成されて、該分岐スリーブをその他端側から前記シースの外周に嵌合させた際に、該ストッパ部が該シースの開口端面に当接されることによりそれ以上深く嵌合されることが規制され、
前記分岐スリーブの各端部外周には、前記装飾板を取付けた際に、該装飾板が該分岐スリーブの軸方向に相対変位するのを規制するストッパ壁部が形成され、
前記分岐スリーブのうち、前記複数の装飾板が分断される分断位置において、内方側に向けて弾性変形可能な弾性変形部位が形成され、
前記弾性変形部位に、前記係止部としての係止爪部が形成され、
前記装飾板に、前記係止爪部に係合される係合部が形成され、
前記係合部が前記係止爪部に係止されている状態で、前記弾性変形部を前記分岐スリーブの内方側に向けて押圧することにより、該係合部の該係止爪部に対する係止が解除されるようにされ、
前記分岐スリーブには、前記装飾板により覆われる部位において挿通用の開口部が形成され、
前記装飾板の内面には、該装飾板を前記分岐スリーブに取付けた際に、前記開口部を通過して前記シースの外周に食い込むスパイク部が突出形成されている、
ようにしてある（請求項１０対応）。この場合、請求項３，請求項７〜請求項９に対応した効果を得ることができる。
【００１９】
前記シースの外周形状が、長辺となる上下一対の偏平部位と短辺となる左右一対の側面部位とを有する偏平形状とされ、
前記装飾板が、互いに同一形状の第１装飾板と第２装飾板との２枚設けられ、
前記第１装飾板が、前記分岐スリーブの周方向において、前記上下一対の偏平部位の一方をほぼ全体的に覆うと共に前記一対の各側面部位の一部をも覆うようにされ、
前記第２装飾板が、前記分岐スリーブの周方向において、前記上下一対の偏平部位の他方をほぼ全体的に覆うと共に前記一対の各側面部位の一部をも覆うようにされ、
前記２枚の装飾板が前記分岐スリーブのうち前記左右一対の側面部位の位置でもって分断されて、該左右一対の側面部位に前記弾性変形部位が形成され、
前記一対の側面部位には、前記分岐スリーブに取付けられている前記装飾板の外面よりも外方側に突出する押圧部が形成されている、
ようにしてある（請求項１１対応）。この場合、装飾板の数を極力少なくしつつ、分岐スリーブを覆っている装飾板の面積を極力大きくして、請求項１に対応した効果をより十分に得る上で好ましいものとなる（特に装飾性の飛躍的な向上）。また、左右一対の押圧部を指先で強く挟むという極めて簡単な作業によって、係止爪部に対する係合部の係止解除を行うことができる。
【００２０】
前記装飾板が、アルミニウム合金製とされている、ようにしてある（請求項１２対応）。この場合、装飾板の軽量化や製造の容易化を図りつつ、十分に金属光沢を得る上で好ましいものとなる。
【００２１】
ケーブルが、オーディオ装置を構成する機器類同士を接続するための外部配線用とされている、ようにしてある（請求項１３対応）。この場合、オーディオ用の外部配線は、装飾性への要求度合いが高く、音質向上（確保）の点からノイズ混入をきらうものであり、しかも内部ケーブルの分岐長さを長くするという作業が行われる機会も多いことから、オーディオ用の外部配線に本発明を適用することは極めて好ましいものとなる。
【発明の効果】
【００２２】
本発明によれば、ケーブルの分岐部位を覆うカバー部材として、取付、取外し自在で再使用することができ、装飾性に優れており、さらにケーブルに対する磁界によるノイズ混入という問題も生じないものを提供できる。
【図面の簡単な説明】
【００２３】
【図１】ケーブルとその分岐部位を覆うカバー部材とを示す要部分解斜視図。
【図２】分岐スリーブの斜視図。
【図３】図２とは異なる方向での分岐スリーブの斜視図。
【図４】分岐スリーブの平面図。
【図５】図４の底面図。
【図６】図４の左側面図。
【図７】図４の右側面図。
【図８】図４のＸ８−Ｘ８線相当断面図。
【図９】図４のＸ９−Ｘ９線相当断面図。
【図１０】図５のＸ１０−Ｘ１０線相当断面図。
【図１１】カバー部材の正面図。
【図１２】図１１を下方から見た底面図。
【図１３】図１１を右方から見た右側面図。
【図１４】図１１を上方から見た平面図。
【図１５】分岐スリーブをケーブルに取付けようとしている状態を示す斜視図。
【図１６】図１５の状態から、分岐スリーブのケーブルへの取付け完了状態を示す一部断面斜視図。
【図１７】図１６の状態から、上下２枚の装飾板を取付けようとしている状態を示す斜視図。
【図１８】図１７の状態から、装飾板を分岐スリーブ直近にまで接近させた状態での断面斜視図。
【図１９】装飾板の分岐スリーブへの取付完了状態を示す斜視図。
【図２０】図１９の取付完了状態での断面斜視図。
【発明を実施するための形態】
【００２４】
（１）全体の概要
まず、図１を参照しつつ、全体の概要について説明する。まず、図中１０は、ケーブルである。ケーブル１０は、実施形態では、オーディオ装置の各種機器類同士を接続する外部配線用とされている。ケーブル１０は、複数本（実施形態では２本）の内部ケーブル１１と、複数本の内部ケーブル１１を被覆する弾性材からなる筒状のシース（絶縁材からなる被覆材）１２と、を有する。
【００２５】
各内部ケーブル１１は、詳細は略すが、それぞれ２本の電線を有している。この各電線は、多数本の細い素線を内部絶縁材で被覆したものとして構成されている。そして、２本の電線が、横並び状態で外部絶縁材でもって被覆されている。このように、実施形態では、２本の内部ケーブル１１がそれぞれ２本の電線を有していることから、ケーブル１０としては、全体として４本の電線を有するものとなっている。このような内部ケーブル１１は、図面では簡略して描かれている。なお、内部ケーブル１１が１本の電線のみを有するものであってもよく、また内部ケーブル１１の本数が３以上であってもよい。
【００２６】
シース１２は、上述した４本の電線が横並び状態でもって被覆していることから、その外周形状は全体的に偏平形状とされている。すなわち、シース１２は、上下一対の偏平部位（平坦部位）１２ａ、１２ｂと、この偏平部位１２ａ、１２ｂの周方向端部同士を連結する短辺となる左右一対の側面部位１２ｃ、１２ｄと、を有する形状とされている。一対の側面部位は１２ｃ、１２ｄは、略円弧状とされている。
【００２７】
ケーブル１０の分岐部位、つまりシース１２の開口端面１２ｅと、外部へ露出する内部ケーブル１１の端部１１ａのうち開口端面１２ｅ付近とが、カバー部材２０によって覆われる。
【００２８】
カバー部材２０は、大別して、合成樹脂からなる筒状の分岐スリーブ３０と、上下２枚の装飾板５０とから、構成されている。２枚の装飾板５０は、金属製（例えばアルミニウム合金製やステンレス合金製等）とされて、互いに同一形状とされて、上下いずれにも使用できるようにされている。
（２）分岐スリーブについて
次に、図２〜図１０を参照しつつ、分岐スリーブ３０について説明する。まず、分岐スリーブ３０は、図２、図３等に示すように、全体的に、複数本の内部ケーブル１１がまとめて挿通可能な大きさで、かつシース１２の外周にほぼがたつきなく嵌合される筒状として形成されている。分岐スリーブ１１の断面の外周形状は、シース１２の断面の外周形状に対応して、偏平状とされている。すなわち、分岐スリーブ３０は、シース１２の偏平部位１２ａ、１２ｂに対応した上下一対の偏平部位３１、３２と、シース１２の左右一対の側面部位１２ｃ、１２ｄに対応した左右一対の側面部位３３、３４と、を有する形状とされている。一対の側面部位は３３、３４は、略円弧状とされている
分岐スリーブ１１の軸方向一端側には、周方向に延びるフランジ状の前ストッパ壁部３５が形成されている。同様に、分岐スリーブ１１の軸方向他端側には、周方向に延びるフランジ状の後ストッパ壁部３６が形成されている。この前後のストッパ壁部３５と３６との間隔は、装飾板５０の長さに対応していている。すなわち、装飾板５０を、前後のストッパ壁部３５と３６との間に位置させつつ偏平部３１あるいは３２に載置した際に、装飾板５０が分岐スリーブ３０の軸方向に相対変位するのが規制される。
【００２９】
分岐スリーブ３０のうち、先端面側には、周方向全長に渡って伸びる環状のフランジ部３７が形成されている。このフランジ部３７の内面からは、内方側に向けて突出する上下一対のストッパ壁部３８が形成されている。上記フランジ部３７の内面形状は、横並びとされた２本の内部ケーブル１１の外周形状に沿うような形状とされている。そして、上下一対のストッパ壁部３８は、横並びとされた２本の内部ケーブル１１の間に形成される空間形状を埋めるような形状とされている（図２、図６参照）。これにより、分岐スリーブ３０を、その基端側（後ストッパ壁部３６側）から、内部ケーブル１１の端部１１ａを挿通させたとき、横並びとされた２本の内部ケーブル１１の外周に余分な空間が形成されないようにされている（フランジ部３７の内周を通して、分岐スリーブ３０内が外部から極力目視できないようにされている）。なお、分岐スリーブ３０の基端部側の内面形状は、シース１２の断面における外周形状に沿う形状とされている（図３、図７、図９参照）。
【００３０】
分岐スリーブ３０の上下の偏平部位３１、３２には、それぞれ、開口部３９が形成されている。この開口部３９は、後述する装飾板５０に形成された突起状のスパイク部が挿通されるものである。
【００３１】
分岐スリーブ３０の左右一対の側面部位３３、３４にはそれぞれ、軸方向に延びる開口部４０が形成されている。分岐スリーブ３０には、この開口部４０を軸方向に横断するように（開口部４０に跨がって）、内外２重に、ブリッジ部４１、４２が形成されている。ブリッジ部４２は、ブリッジ部４１と小間隔をあけて外方側に位置されている。内外２重のブリッジ部４１と４２とは、その中間部において、連結部４３によって連結されている。
【００３２】
上記連結部４３には、係止部としての上下一対の係止爪部４５、４６が形成されている。係止爪部４５と４６とは、図８に示すように、互いに上下逆方向に延びるように形成されている。上側に延びる係止爪部４５が、分岐スリーブ３０の上側に配設される一方の装飾板５０用とされ、下方に延びる係止爪部４６が、分岐スリーブ３０の下側に配設される他方の装飾板５０用とされる。なお、上下の係止爪部４５、と４６とは互いに上下対称形状とされている。
【００３３】
各ブリッジ部４１、４２は、弾性変形、特に分岐スリーブ３０の内方側に向けて弾性変形可能な弾性変形部を構成する。この内方側へ向けての弾性変形操作を容易に行えるように、外側のブリッジ部４２の外側が、若干外方側に向けて突出された押圧部４２ａとされている。
【００３４】
上記ブリッジ部４１、４２（つまり係止爪部４５、４６）は、分岐スリーブ３０の周方向１８０度対称位置に、それぞれ形成されている。これにより、例えば２本の指先（例えば親指と人差し指）で左右のブリッジ部４１、４２（押圧部４２ａ）を強く挟むように把持することにより、ブリッジ部４１、４２は分岐スリーブ３０の内方側に向けて容易に弾性変形されることになる。このようなブリッジ部４１、４２が形成されている部位が、後述する２枚の装飾板５０同士を、分岐スリーブ３０の周方向において分断している分断位置となる。
（３）装飾板について
次に、図１１〜図１４を参照しつつ、装飾板５０について説明するが、上下２枚の装飾板５０が互いに同一形状に設定されているので、その一方に着目して説明する。
【００３５】
まず、装飾板５０は、全体的にその断面形状が、図１１に示すような形状とされる。すなわち、偏平形状部位５１と、この偏平形状部位５１の左右方向端部から湾曲されて短く延びる湾曲部位５２と、を有する。
【００３６】
偏平形状部位５１が、分岐スリーブ３０の偏平部位３１（あるいは３２）の形状に対応して、分岐スリーブ３０への取付時には偏平部位３１（あるいは３２）に密接される。また、湾曲部位５２は、分岐スリーブ３０のうち、左右一対の側面部位３３（あるいは３４）の形状に対応して、分岐スリーブ３０への取付時には、側面部位３３（あるいは３４）に密接される。ただし、装飾板５０を分岐スリーブ３０に取付けたときには、分岐スリーブ３０のうちブリッジ部４１、４２部分には装飾板５０が位置しないようにされる。つまり、２枚の装飾板５０同士は、左右一対のブリッジ部４１、４２でもって分岐スリーブ３０の周方向に分断された状態とされる。
【００３７】
装飾板５０は、分岐スリーブ３０を上下方向から挟むように配設される。このとき、装飾板５０は、分岐スリーブ３０における前後のストッパ壁部３５、３６の間に位置されて、分岐スリーブ３０に対してその軸方向に相対変位することが規制される。
【００３８】
装飾板５０の左右端部（分岐スリーブ３０の周方向端部に対応）には、それぞれ、係合部５３が形成されている。この係合部５３は、装飾板５０の左右端部をそれぞれ全長に渡って内方側に折り返したような形状とされる。勿論、係合部５３は、分岐スリーブ３０における係止爪部４５あるいは４６と係合されるものである。
【００３９】
装飾板５０の内面側には、分岐スリーブ３０の軸方向に延ばして、板状のスパイク部５４が突設されている。このスパイク部５４は、分岐スリーブ３０における開口部３９を挿通可能な大きさとされている。また、スパイク部５４の突設長さは、分岐スリーブ３０への取付状態では、分岐スリーブ３０の内面よりもさらに内方側へ延びる大きさとされている。より具体的には、スパイク部５４が、分岐スリーブ３０の内面を超えて、分岐スリーブ３０が嵌合されているシース１２の外周面に深く食い込むように設定されている（シース１２を強制的に弾性変形させつつ食い込み状態となる）。
（４）カバー部材２０のケーブル１０への取付
次に、以上のように構成されたカバー部材２０を、ケーブル１０に取付ける手順について図１５〜図２０を参照しつつ説明する。
【００４０】
まず、図１５に示すように、分岐スリーブ３０を、そのストッパ壁部３８が内部ケーブル１１の先端側を向く状態で、分岐スリーブ３０内に内部ケーブル１１を挿入させる。この後、分岐スリーブ３０を、シース１２の開口端面１２ｅに向けて接近させて、シース１２の外周に嵌合させる。この嵌合は、分岐スリーブ３０のストッパ壁部３８が、シース１２の開口端面１２ｅに当接する状態となるまで行われる。図１６は、前ストッパ壁部３８がシース１２の開口端面１２ｅに当接した嵌合完了状態である。この嵌合完了状態では、分岐スリーブ３０は、ケーブル１０の分岐部位（つまりシース１２の開口端面１２ｅや、その付近に位置する内部ケーブル１１の端部１１ａ）を覆った状態とされる。
【００４１】
図１６の状態から、図１７に示すように、２枚の装飾板５０を分岐スリーブ３０に取付ける。この装飾板５０の取付けは、１枚ずつ行われる。すなわち、例えば上側の装飾板５０を、分岐スリーブ３０の前後のストッパ壁部３５と３６との間に位置させて、その係合部５３を、一方の係止爪部４５に係止（係合）させる。
【００４２】
同様に、下側の装飾板５０を、分岐スリーブ３０の前後のストッパ壁部３５と３６との間に位置させて、その係合部５３を、他方の係止爪部４６に係止（係合）させる。なお、２枚の装飾板５０は、互いに同一形状であるので、上下どちらにしてもよいものである。図１８には、装飾板５０の係合部５３が、分岐スリーブ３０の係止爪部４５あるいは４６に係止される直前の状態が示される。
【００４３】
装飾板５０の係合部５３が、分岐スリーブ３０の係止爪部４５あるいは４６に係止された状態では、装飾板５０が、分岐スリーブ３０に対してしっかりと固定された取付完了状態とされる。この取付完了状態が、図１９に示される。そして、取付完了状態では、図２０に示すように、装飾板５０から突設されたスパイク部５４が、分岐スリーブ３０に形成された開口部３９を通過して、シース１２の外周面にしっかりと食い込んだ状態とされる。これにより、装飾板５０がシース１２に対してその長手方向に相対変位することが確実に規制される。装飾板５０と分岐スリーブ３０とは、前後のストッパ壁部３５、３６によってシース１２の長手方向に相対変位不能とされているので、分岐スリーブ３０も、シース１２の長手方向に不用意に相対変位してしまう事態（特に分岐スリーブ３０がシース１２から抜け出る事態）が確実に防止される。
（５）カバー部材２０の取外しと再取付
次に、図１９、図２０に示すカバー部材２０の取付完了状態から、カバー部材２０を取外して、再びケーブル１０に取付ける場合について説明する。このカバー部材２０の再取付けは、例えば、内部ケーブル１１の端部１１ａをより長くする（外部露出長さを延長させる）際に行われ、この延長させる分の長さを延長分Ｌとして説明する。
【００４４】
まず、装飾板５０を、分岐スリーブ３０から取外す。この場合、左右一対の押圧部４２ａを指先で押圧して、分岐スリーブ３０の係止爪部４５、４６を内方側に弾性変形させて、係止爪部４５、４６と装飾板５０の係合部５３との係止を解除させる。少なくとも左右一方の係止が解除されれば、左右他方の係止解除はより容易である。この係止解除により、装飾板５０を分岐スリーブ３０から取外すことができる。
【００４５】
装飾板５０を分岐スリーブ３０から取外した後、分岐スリーブ３０のシース１２に対する嵌合を解除する。このとき、分岐スリーブ３０内に、外部に露出する内部ケーブル１１の端部１１ａが挿通されている状態は維持させておく。
【００４６】
この後、シース１２を、その開口端面１２ｅから延長分Ｌの長さ分だけ切除する。延長分Ｌを切除した後は、カバー部材２０の取付手順で説明したのと同様の手順でもって、カバー部材２０をケーブル１０に取付ければよい。
【００４７】
以上実施形態について説明したが、本発明は、実施形態に限定されるものではなく、特許請求の範囲の記載された範囲において適宜の変更が可能であり、例えば次のような場合をも含むものである。ケーブル１０は、オーディオ装置用に限らず、各種用途のものを本発明の適用対象とすることができ、また動力線であっても信号線等でもよい。ｋ分岐スリーブ３０に形成する係止部としては、係止爪部に限らず、係止孔の形態にする等、適宜の構造のものを採択できる（装飾板５０に形成する係合部は、分岐スリーブ３０に形成された係止部の形態に合わせて設定すればよい）。
【００４８】
装飾板５０は、２枚に限らず、３枚以上であってもよい。シース１２の外周形状（断面外周形状）は、特に問わないものであり、偏平状に限らず、例えば円形状等、適宜の形状のものを本発明の適用対象とすることができる。分岐スリーブ３０のシース１２への嵌合深さを規制するストッパ壁部３８を有しないものであってもよい（例えば、分岐スリーブ３０をシース１２の外周にきつく嵌合させることによって、シース１２に対する相対変位を規制する等）。装飾板５０がスパイク部５４を有しないものであってもよい。勿論、本発明の目的は、明記されたものに限らず、実質的に好ましいあるいは利点として表現されたものを提供することをも暗黙的に含むものである。
【産業上の利用可能性】
【００４９】
本発明は、ケーブル分岐部用のカバー部材として好適なものを提供できる。
【符号の説明】
【００５０】
１０：ケーブル
１１：内部ケーブル
１１ａ：端部（外部への露出部位）
１２：シース
１２ａ、１２ｂ：偏平部位
１２ｃ：１２ｄ：側面部位
１２ｅ：開口端面
２０：カバー部材
３０：分岐スリーブ
３１、３２：偏平部位
３３、３４：側面部位
３５：前ストッパ壁部
３６：後ストッパ壁部
３９：開口部（スパイク部挿通用）
４０：開口部（ブリッジ部形成用）
４１、４２：ブリッジ部
４２ａ：押圧部
４３：連結部
４５、４６：係止爪部（係止部）
５０：装飾板
５１：偏平部位
５２：湾曲部位
５３：係合部
５４：スパイク部
【図１】
2019161710.tif 000003
【図２】
2019161710.tif 000004
【図３】
2019161710.tif 000005
【図４】
2019161710.tif 000006
【図５】
2019161710.tif 000007
【図６】
2019161710.tif 000008
【図７】
2019161710.tif 000009
【図８】
2019161710.tif 000010
【図９】
2019161710.tif 000011
【図１０】
2019161710.tif 000012
【図１１】
2019161710.tif 000013
【図１２】
2019161710.tif 000014
【図１３】
2019161710.tif 000015
【図１４】
2019161710.tif 000016
【図１５】
2019161710.tif 000017
【図１６】
2019161710.tif 000018
【図１７】
2019161710.tif 000019
【図１８】
2019161710.tif 000020
【図１９】
2019161710.tif 000021
【図２０】
2019161710.tif 000022